(57)【要約】【課題】組立て過程においてプレスを必要とせず、破損が起こらないスイッチの組立て構造の提供。        【解決手段】本考案のスイッチの組立て構造は、複数個の座体部材と、複数の導電片と、ボタンユニットを含み、各座体部材は座体結合部材を備え、少なくとも一部の座体部材上に収容空間が設けられ、前記複数の導電片は上述の座体部材の収容空間内に配置され、前記ボタンユニットは前記座体部材内に設置され、そのうち、前記座体部材には予め組立て間隙が設けられ、各座体部材が前記座体結合部材により相互に組み立てられて固定され、且つ、前記導電片が組立て後の座体部材の組立て間隙内に配置される。【選択図】図１
0003126782.tif 000002
【実用新案登録請求の範囲】
【請求項１】
複数の座体部材と、複数の導電片と、ボタンユニットを含み、各座体部材は座体結合部材を備え、少なくとも一部の座体部材上に収容空間が設けられ、前記複数の導電片は前記座体部材の収容空間内に配置され、前記ボタンユニットは前記座体部材内に組み込まれ、そのうち、前記座体部材は組立て間隙が予め設けられ、各座体部材は前記座体結合部材により相互に組み立てられて固定され、且つ、前記導電片が組立て後の前記座体部材の組立て間隙内に配置されることを特徴とする、スイッチの組立て構造。       
【請求項２】
前記組立て間隙が座体部材上に設けられた、請求項１に記載のスイッチの組立て構造。
【請求項３】
前記組立て間隙が異なる座体部材の間に設けられた、請求項１に記載のスイッチの組立て構造。       
【請求項４】
前記座体部材上に導電片に対応する補助固定部材が設けられた、請求項１に記載のスイッチの組立て構造。
【請求項５】
前記組立て間隙の寸法がその対応する導電片の片体の厚さと同じである、請求項１に記載のスイッチの組立て構造。      
【請求項６】
前記複数の座体部材及び複数の導電片がそれぞれ連続構造の部材として形成され、複数のスイッチが設けられた形式のスイッチを形成する、請求項１に記載のスイッチの組立て構造。
【請求項７】
前記複数の座体部材及び複数の導電片がそれぞれ単一構造の部材として形成され、単一のスイッチが設けられたスイッチを形成する、請求項１に記載のスイッチの組立て構造。     
【請求項８】
前記複数の座体部材が第一座体、第二座体、第三座体を含み、前記複数の導電片が第一導電片、第二導電片、第三導電片を含み、そのうち、前記第一座体には嵌入突起が設けられ、前記第一導電片には嵌入孔が設けられ、且つ前記第一座体上に位置決めされ、前記第二導電片には嵌入孔が設けられ、且つ前記第一座体上に位置決めされ、前記第三導電片は前記第一座体上に位置決めされ、前記第二座体には嵌入孔が設けられ、且つ前記第一座体上に嵌合され、さらに前記第二座体上に前記第一導電片、第二導電片、第三導電片をそれぞれ規制し位置決めするための第一組立て間隙、第二組立て間隙、第三組立て間隙がそれぞれ形成され、前記第三座体は前記第一座体上に嵌合され、前記第三座体の二側壁の直径が前記第二座体の外径よりやや大きく、これにより前記第一導電片と三導電片を規制し位置決めするための第四組立て間隙が形成されることを特徴とする、請求項１に記載のスイッチの組立て構造。
【請求項９】
前記第一座体上に第一嵌入突起が設けられ、前記第二座体上に前記第一嵌入突起と相互に嵌合される第一嵌入孔が設けられた、請求項８に記載のスイッチの組立て構造。      
【請求項１０】
前記第一座体上に第二嵌入突起が設けられ、前記第一導電片に位置決め部が折り曲げられて設けられ、前記位置決め部上に前記第二嵌入突起と相互に嵌合される第二嵌入孔が設けられた、請求項８に記載のスイッチの組立て構造。
【請求項１１】
前記第一座体上に有第三嵌入突起が設けられ、前記第二導電片に位置決め部が折り曲げられて設けられ、前記位置決め部上に前記第三嵌入突起と相互に嵌合される第三嵌入孔が設けられた、請求項８に記載のスイッチの組立て構造。     
【請求項１２】
前記第一座体上に第四嵌入突起が設けられ、前記第三導電片に位置決め部が折り曲げられて設けられ、前記位置決め部上に前記第四嵌入突起と相互に嵌合される第四嵌入孔が設けられた、請求項８に記載のスイッチの組立て構造。
【請求項１３】
前記第一座体部材上に第五嵌入突起が設けられ、前記第三座体上に前記第五嵌入突起と相互に嵌合される第五嵌入孔が設けられた、請求項８に記載のスイッチの組立て構造。     
【考案の詳細な説明】
【技術分野】
【０００１】
本考案はスイッチの組立て構造に関し、詳細には、第一座体上に嵌入突起が設けられ、第一導電片、第二導電片、第三導電片上に嵌入孔が形成され、第二座体、第三座体上に嵌入孔及び組立て間隙が設けられ、第一導電片、第二導電片、第三導電片が第一座体、第二座体、第三座体の間にそれぞれ規制されて位置決めされ、組立て時にプレスで導電片が破損することがないスイッチの組立て構造に関する。
【背景技術】
【０００２】
現在、一般的な延長コード、電源コンセント等の電気設備に使用されるスイッチの構造は、主に座体上に若干の導電片が組み込まれ、これら導電片の固定方式は主にまず導電片の脚部を座体の予め設けた挿入槽に穿通し、さらに機械で導電片の脚部に対してプレスを行い、導電片の脚部を変形させて挿入槽から抜け出ないようにし、導電片が座体の予め設けた挿入槽内に固定される。しかしながら、このような導電片の固定方式は、プレスを使用して変形させる加工方式であり、プレスの過程でずれがあると、導電片の脚部を設計通りに変形させることができず、座体全体または導電片の破損を招き、またプレスした後、破損した座体または導電片の取り外しと交換がしにくく、強い力で分解しようとするとその他部材が破損しやすい。同時に、処理過程も非常に時間がかかり面倒であるため、組立て上理想的とはいえない。
【考案の開示】
【考案が解決しようとする課題】
【０００３】
従来のスイッチが組立て過程において機械でプレスし導電片を変形させてスイッチ座体内に固定する方式は組立てに時間がかかり、またコストの無駄を招くため、この問題に鑑みて、本考案の目的は、破損が起こらないスイッチの組立て構造を提供することにある。        
【課題を解決するための手段】
【０００４】
本考案のスイッチの組立て構造は、複数個の座体部材と、複数の導電片と、ボタンユニットを含み、各座体部材は座体結合部材を備え、少なくとも一部の座体部材上に収容空間が設けられ、前記複数の導電片は上述の座体部材の収容空間内に配置され、前記ボタンユニットは前記座体部材内に設置され、そのうち、前記座体部材には予め組立て間隙が設けられ、各座体部材が前記座体結合部材により相互に組み立てられて固定され、且つ、前記導電片が組立て後の座体部材の組立て間隙内に配置される。
【０００５】
上述の座体部材及び導電片はそれぞれ連続構造の部材とし、複数のスイッチが設けられた形式のスイッチを形成してもよい。
【０００６】
上述の座体部材及び導電片はそれぞれ単一構造の部材とし、単一のスイッチが設けられたスイッチを形成してもよい。
【０００７】
上述の組立て間隙は座体部材上に予め設けられる。
【０００８】
上述の組立て間隙は異なる座体部材の間に予め設けられる。
【０００９】
上述の座体部材上に別途導電片に対応する補助固定部材が設けられる。
【００１０】
上述の組立て間隙の寸法はその対応する導電片の片体の厚さと同じとする。
【００１１】
上述の複数の座体部材は第一座体、第二座体、第三座体を含み、複数の導電片は第一導電片、第二導電片、第三導電片を含む。
【００１２】
そのうち、第一座体は嵌入突起が設けられる。
【００１３】
第一導電片は嵌入孔が設けられ、第一座体上に位置決めされる。
【００１４】
第二導電片は嵌入孔が設けられ、第一座体上に位置決めされる。 
【００１５】
第三導電片は第一座体上に位置決めされる。
【００１６】
第二座体は嵌入孔が設けられ、第一座体上に嵌合されると共に、この第二座体上に第一組立て間隙、第二組立て間隙、第三組立て間隙がそれぞれ形成され、前記第一導電片、第二導電片、第三導電片をそれぞれ規制し位置決めするために用いられる。
【００１７】
第三座体は第一座体上に嵌合され、この第三座体の二側壁の直径は第二座体の外径より大きいものとし、それにより第四組立て間隙が形成され、前記第一導電片と第三導電片を規制し位置決めするために用いられる。
【００１８】
上述の第一座体上には第一嵌入突起が設けられ、また第二座体上には前記第一嵌入突起と相互に嵌合される第一嵌入孔が設けられる。
【００１９】
上述の第一座体上には第二嵌入突起が設けられ、また第一導電片には位置決め部が折り曲げられて設けられ、この位置決め部上に前記第二嵌入突起と相互に嵌合される第二嵌入孔が設けられる。
【００２０】
上述の第一座体上には第三嵌入突起が設けられ、また第二導電片には位置決め部が折り曲げられて設けられ、この位置決め部上に前記第三嵌入突起と相互に嵌合される第三嵌入孔が設けられる。
【００２１】
上述の第一座体上には第四嵌入突起が設けられ、また第三導電片には位置決め部が折り曲げられて設けられ、この位置決め部上に前記第四嵌入突起と相互に嵌合される第四嵌入孔が設けられる。
【００２２】
上述の第一座体部材上には第五嵌入突起が設けられ、また第三座体上には前記第五嵌入突起と相互に嵌合される第五嵌入孔が設けられる。        
【考案の効果】
【００２３】
本考案には次のような利点がある。
１．本考案は各座体部材にそれぞれ予め設けた組立て間隙を利用し、各導電片をその中に規制して位置決めすることができ、これにより導電片が座体内に破損を招くことなく固定されるため、組立て時のプレスによる導電片の構造破壊を回避し、スイッチを簡単に組み立てることができる。
２．本考案の各座体部材及び導電片は、それぞれ嵌入突起及び嵌入孔の結合方式を採用しているため、組立てと分解を迅速且つ便利に行なうことができ、組立ての時間とコストを大幅に減少することができる。
３．本考案の各部材はすべて容易に分解できるため、スイッチに故障や破損が起こった場合、迅速に交換や修理を行なうことができる。        
【考案を実施するための最良の形態】
【００２４】
まず、図１に示すように、本考案は主に第一座体１、第一導電片２、第二導電片３、第三導電片４、第二座体５、第三座体６及びボタンユニット７を含む。
【００２５】
そのうち、第一座体１は、図２に示すように、中空の形態に設けられ、収容空間を備えており、この第一座体１上に第一嵌入突起１１、第二嵌入突起１２、第三嵌入突起１３、１３A及び第四嵌入突起１４がそれぞれ設けられ、また、第一座体１の外側に別途第五嵌入突起１５が設けられる。
【００２６】
第一導電片２は第一座体１上に位置決めされ、この第一導電片２には位置決め部２１が折り曲げられて設けられ、この位置決め部２１上に第一座体１の第二嵌入突起１２と相互に結合される第二嵌入孔２２が設けられる。
【００２７】
第二導電片３は第一座体１上に位置決めされ、この第二導電片３には位置決め部３１が折り曲げられて設けられ、この位置決め部３１上に第一座体１の第三嵌入突起１３、１３Aと相互に結合される第三嵌入孔３２、３２Aが設けられる。
【００２８】
第三導電片４は第一座体１上に位置決めされ、この第三導電片４には位置決め部４１が折り曲げられて設けられ、この位置決め部４１上に第一座体１の第四嵌入突起１４と相互に結合される第四嵌入孔４２が設けられる。
【００２９】
第二座体５は第一座体１上に嵌合され、また、この第二座体５上には第一座体１の第一嵌入突起１１と相互に結合される第一嵌入孔５１が設けられ、この第二座体５の下縁部に第一組立て間隙５２、第二組立て間隙５３、第三組立て間隙５４がそれぞれ形成される。
【００３０】
第三座体６は第一座体１上に嵌合され、この第三座体６の外側には第一座体１の第五嵌入突起６５と相互に結合される第五嵌入孔６１が設けられ、また、この第三座体６の二側壁の直径は第二座体６の外径よりやや大きいものとし、これにより第四組立て間隙６２が形成される。
【００３１】
ボタンユニット７は第一座体１内に組み込まれる。
【００３２】
組み立て時には、図３、図４に示すように、第一導電片２、第二導電片３、第三導電片４の第二嵌入孔２２、第三嵌入孔３２、３２A、第四嵌入孔４２を第一座体１の第二嵌入突起１２、第三嵌入突起１３、１３A、第四嵌入突起１４とそれぞれ相互に結合させ、第一導電片２、第二導電片３、第三導電片４を第一座体１上にそれぞれ位置決めする。さらに、第二座体５を第一座体１上に組み込み（図５参照）、その第一嵌入孔５１と第一座体１の第一嵌入突起１１を相互に嵌合させると、第一導電片２、第二導電片３、第三導電片４の位置決め部２１、３１、４１がそれぞれ第二座体５の第一組立て間隙５２、第二組立て間隙５３、第三組立て間隙５４により規制されて固定される（図７、図８参照）。さらに、第三座体６を第一座体１上に組み込み（図６参照）、その第五嵌入孔６１と第一座体１の第五嵌入突起１５を相互に結合させると、第一導電片２、第三導電片４がそれぞれ第三座体６二側壁の第四組立て間隙６２により規制されて固定される（図７、図８参照）。このように、プレスにより第一導電片２、第二導電片３、第三導電片４の構造が破壊されるのを回避し、最後にボタンユニット７を第一座体１内に組み込むと、簡単にスイッチの組立てが完了する（図９参照）。また、スイッチの組立て過程において瑕疵があったときは、第一座体１、第二座体５、第三座体６をそれぞれ取り外せば簡単に瑕疵のある部材を交換することができる。
【図面の簡単な説明】
【００３３】
【図１】本考案の立体分解図である。
【図２】本考案の第一座体の上面図である。
【図３】本考案の第一導電片、第二導電片を第一座体上に組み込んだ状態を示す上面図である。
【図４】本考案の第三導電片を第一座体上に組み込んだ状態を示す上面図である。
【図５】本考案の第二座体を第一座体上に嵌合した状態を示す上面図である。
【図６】本考案の第三座体を第一座体上に嵌合した状態を示す上面図である。
【図７】本考案の第一導電片、第二導電片の組立て後断面図である。
【図８】本考案の第一導電片、第三導電片の組立て後断面図である。
【図９】本考案の組立て完了後の立体斜視図である。
【符号の説明】
【００３４】
１          第一座体                                         
１１        第一嵌入突起
１２        第二嵌入突起                                                
１３        第三嵌入突起
１３A     第三嵌入突起                                                
１４        第四嵌入突起                                    
１５        第五嵌入突起                                                
２          第一導電片
２１        位置決め部                                                  
２２        第二嵌入孔  
３          第二導電片                                      
３１        位置決め部              
３２        第三嵌入孔                                      
３２A     第三嵌入孔
４          第三導電片                                      
４１        位置決め部
４２        第四嵌入孔                                      
５          第二座体     
５１        第一嵌入孔                                      
５２        第一組立て間隙
５３        第二組立て間隙                                    
５４        第三組立て間隙
６          第三座体                                         
６１        第五嵌入孔
６２        第四組立て間隙                                    
７          ボタンユニット
【図１】
0003126782.tif 000003
【図２】
0003126782.tif 000004
【図３】
0003126782.tif 000005
【図４】
0003126782.tif 000006
【図５】
0003126782.tif 000007
【図６】
0003126782.tif 000008
【図７】
0003126782.tif 000009
【図８】
0003126782.tif 000010
【図９】
0003126782.tif 000011